(57)【要約】【課題】従来の不揮発性メモリ格納装置に小型の表示ユニットを備えて、残りの記憶容量等を簡単に表示する。【解決手段】薄型表示ユニットを有する不揮発性メモリ格納装置は、その装置が一つの薄型表示ユニット，一つの第１のインターフェース，一つの不揮発性メモリ格納ユニット，一つの不揮発性メモリ格納媒体，一つの第２のインターフェース，一つの導電材料および一つの封止ユニットを含む。その中でも、前記導電材料は前記第１のインターフェースと第２のインターフェースとの間に設置され、ひいては前記不揮発性メモリ格納装置が前記不揮発性メモリ格納装置の応用状態情報を前記薄型表示ユニットへ伝送する。【選択図】図２
0003128220.tif 000002
【実用新案登録請求の範囲】
【請求項１】
薄型表示ユニットを有する不揮発性メモリ格納装置は、その装置が、当該不揮発性メモリ格納装置の使用状態を表示するように用いられる一つの薄型表示ユニットと、
前記薄型表示ユニットに設けられる一つの第１のインターフェースと、
デジタル情報の格納およびトランスファーを提供する一つの不揮発性メモリ格納ユニットと、
前記不揮発性メモリ格納ユニットに設けられる一つの第２のインターフェースと、
前記第１のインターフェースと前記第２のインターフェースとの間に設置され前記不揮発性メモリ格納ユニットと前記薄型表示ユニットとの間における情報のトランスファーを提供する導電材料と、
当該不揮発性メモリ格納装置の外縁に設置され且つ表示ウインドーを一つ具し前記表示ウインドーが当該薄型表示装置の状態情報を格納する一つの封止ユニットと、を含むことを特徴とする薄型表示ユニットを有する不揮発性メモリ格納装置。
【請求項２】
前記薄型表示ユニットは、一つの双安定の薄型表示ユニットであることを特徴とする請求項１に記載の薄型表示ユニットを有する不揮発性メモリ格納装置。
【請求項３】
前記不揮発性メモリ格納ユニットは、一つのシステム・インターフェースを経由して外部応用システムに接続することにより、デジタル情報の格納およびトランスファーを提供することを特徴とする請求項１に記載の薄型表示ユニットを有する不揮発性メモリ格納装置。
【請求項４】
前記不揮発性メモリ格納ユニットは、一つのコントローラと少なくとも一つの不揮発性メモリ格納媒体をさらに含み、その中でも、前記コントローラが当該不揮発性メモリ格納媒体の記録する情報を読取り且つ分析することにより、当該不揮発性メモリ格納媒体の使用情報を前記薄型表示ユニットに表示することを特徴とする請求項１に記載の薄型表示ユニットを有する不揮発性メモリ格納装置。
【請求項５】
前記不揮発性メモリ格納ユニットは、前記コントローラにより、一つのシステム・インターフェースを介し、外部応用システムに接続することにより、デジタル情報の格納およびトランスファーを提供することを特徴とする請求項４に記載の薄型表示ユニットを有する不揮発性メモリ格納装置。
【請求項６】
前記コントローラは、前記第２のインターフェースにて、信号を前記薄型表示ユニットへ伝送することにより、前記薄型表示ユニットの呈する情報を制御することを特徴とする請求項４に記載の薄型表示ユニットを有する不揮発性メモリ格納装置。
【請求項７】
前記薄型表示ユニットは、前記封止ユニットに嵌合されることを特徴とする請求項１に記載の薄型表示ユニットを有する不揮発性メモリ格納装置。
【請求項８】
前記薄型表示ユニットは、前記不揮発性メモリ格納ユニットに嵌合されることを特徴とする請求項１に記載の薄型表示ユニットを有する不揮発性メモリ格納装置。
【請求項９】
前記封止ユニットは、一つの上蓋を一つの下蓋に結合して封止することにより形成されることを特徴とする請求項１に記載の薄型表示ユニットを有する不揮発性メモリ格納装置。
【請求項１０】
前記封止ユニットは、単一のキャビネットがこれらのユニットを組み立てた後に、封止材料にて、膠着することにより形成されることを特徴とする請求項１に記載の薄型表示ユニットを有する不揮発性メモリ格納装置。
【請求項１１】
前記封止ユニットは、一体成形の方式にて、これらのユニットを直接に組み合わせた後に、金型内に成形過程中で封止材料から組成されることを特徴とする請求項１に記載の薄型表示ユニットを有する不揮発性メモリ格納装置。
【請求項１２】
前記封止ユニットは、多数の部材を組み合わせて封止することにより形成されることを特徴とする請求項１に記載の薄型表示ユニットを有する不揮発性メモリ格納装置。
【請求項１３】
前記封止ユニットは、透明な材質であることを特徴とする請求項１に記載の薄型表示ユニットを有する不揮発性メモリ格納装置。
【請求項１４】
前記第１のインターフェース及び第２のインターフェースは、それぞれ少なくとも一つの導電端子を有することを特徴とする請求項１に記載の薄型表示ユニットを有する不揮発性メモリ格納装置。
【請求項１５】
前記第１のインターフェースの導電端子は、前記第２のインターフェースの導電端子を合わせて設置されることを特徴とする請求項１４に記載の薄型表示ユニットを有する不揮発性メモリ格納装置。
【請求項１６】
前記導電材質は、異方性導電ゴムであることを特徴とする請求項１に記載の薄型表示ユニットを有する不揮発性メモリ格納装置。
【考案の詳細な説明】
【技術分野】
【０００１】
本考案は、表示ユニットを有する不揮発性メモリ格納装置に関し、特に薄型表示ユニットを有する不揮発性メモリ格納装置を指す。
【背景技術】
【０００２】
従来の不揮発性メモリ格納装置、例えばＣＦ（Ｃｏｍｐａｃｔ  Ｆｌａｓｈ：コンパクトフラッシュ（登録商標））メモリ・カード、ＭＭＣ（Ｍｕｌｔｉ−Ｍｅｄｉａ−Ｃａｒｄ：マルチメディア）メモリ・カード、ＳＤ（Ｓｅｃｕｒｅ  Ｄｉｇｉｔａｌ：セキュア・デジタル）メモリ・カード、ＭＳ（Ｍｅｍｏｒｙ  Ｓｔｉｃｋ：メモリ・スティック（登録商標））メモリ・カード及びＵＳＢインターフェースのサムドライブ（Ｔｈｕｍｂ−Ｄｒｉｖｅ）等は、一般に表示ユニットを設置しておらず、出荷された時にラベルを貼り付けて格納媒体容量の大きさを指示する以外に、ユーザーが即時の便利さを具備しない表示方式によりその使用の状態を掌握する。
【０００３】
自身の一部に内蔵電源の携帯式装置が設置されるような、例えばＭＰ３プレーヤ及びメモリ・カードのバックアップ装置などの製品上には、表示ユニットも設置され、甚だしきに至っては、その内蔵格納媒体の残り容量も表示できる。この場合、内蔵の電源を具備する必要があり、且つ採用された表示ユニットの体積が大きすぎ、今までも前記の二つの因子が依然として克服できない。従って前記の使用中では、体積の大きさが厳密に限定されるメモリ・カードには、まだ何れも表示ユニットが設置されず、そしてＵＳＢインターフェースのサムドライブには既に表示ユニットが設置されるが、然しながらその体積は、設置された表示ユニットの影響を受けるので縮小できない。
【０００４】
例えば特許文献１の考案は、その考案が格納容量情報の表示機能を有する格納関連装置で、格納容量情報の表示機能を有するが、しかしながら体積の寸法が厳密に限定される領域に、まだ直接に使用することが不可能である。
【特許文献１】台湾実用新案第Ｍ253035
【考案の開示】
【考案が解決しようとする課題】
【０００５】
薄型表示ユニットを有する不揮発性メモリ格納装置を提供することを目的とする。
【課題を解決するための手段】
【０００６】
従って、本考案は、薄型表示ユニットを有する不揮発性メモリ格納装置を提供するが、当該装置が一つの薄型表示ユニット，一つの第１のインターフェース，一つの不揮発性メモリ格納ユニット，一つの不揮発性メモリ格納媒体，一つの第２のインターフェース，一つの導電材料および一つの封止ユニットを含むが、その中でも、前記導電材料を利用して前記第１のインターフェースと第２のインターフェースとの間に設置され、ひいては前記不揮発性メモリ格納装置が前記不揮発性メモリ格納装置の使用状態情報を前記薄型表示ユニットへ伝送し、且つ前記封止ユニットの上における表示ウインドーを一つ利用して前記不揮発性メモリ格納装置の使用状態を観察できる。
【考案の効果】
【０００７】
これに鑑み、本考案は、体積のより小さい薄型表示ユニットを採用し、且つ導電材料を介して薄型表示ユニットと格納媒体のメーン・ボードのインターフェースに接続することにより、導電性の増加および表示ユニットの縮小設置の必要な空間を達成し、ひいては不揮発性メモリ格納装置の体積を縮小でき、且つ体積の寸法および大きさが厳しい限定を受けた使用領域となり、さらに表示ユニットを設置することにより、表示使用状態を随時に表現できることも達成する。
【考案を実施するための最良の形態】
【０００８】
本考案の特徴および技術内容をより理解しやすいように、以下に本考案に関する詳細な説明および添付の図面を参照する。しかし、添付の図面はただ参考と説明用に供するだけで、本考案をより限定するためものではない。
【０００９】
（第１の実施の形態）
本考案の構造ブロック模式図である図１を参照する。例えば図１の本考案の構造ブロック模式図に示すように、不揮発性メモリ格納ユニット１がコントローラ１３を利用し、システム・インターフェース１５を介して外部応用システムに接続することにより、デジタル情報のトランスファー及び格納を提供するが、一方では不揮発性メモリ格納媒体１１の記録する情報を読取り且つ分析し、さらに第２のインターフェース１７を経由して不揮発性メモリ格納媒体１１の状態情報を第１のインターフェース３１へ伝送し、ひいては状態の情報を薄型表示ユニット３に表示する。その中でも、第１のインターフェース３１と第２のインターフェース１７との間には、導電材料２をメディアとすることにより、第１のインターフェース３１と第２のインターフェース１７との間における導電性を増加する。そして導電材料２は一つの異方性導電ゴム（Ａｎｉｓｏｔｒｏｐｉｃ  Ｃｏｎｄｕｃｔｉｖｅ  Ｆｉｌｍ；ＡＣＦ）であってもよい。
【００１０】
異方性導電ゴムの主要な組成成分には樹脂および導電粒子の二つがあり、異方性導電ゴムの中における導電ぺレットには、カーボン・ブラック，金属粉，表面に金属を塗布する高分子プラスチック・ボール及び表面に絶縁樹脂を一つ塗布する金属粒子などがあり、ここでは主として金属粉末を使用して高分子プラスチック・ボールの表面に金属を塗布する。その特徴は、プラスチックの核心が圧縮可能な性質を有するものであるが、従って電極と導電粒子との間における接触面積を増加できる。よって異方性導電ゴムを第１のインターフェース３１と第２のインターフェース１７との間に粘着した後に、適当な圧力，温度および時間を利用することにより、樹脂材質の粘度が低減し、そして流動し始め且つ快速に圧着することにより、導電ぺレットを第１のインターフェース３１と第２のインターフェース１７との導電端子に圧着して接着し、そして圧力方向の導通のみを行い、その他の方向には導通しない。
【００１１】
本考案の薄型表示ユニット３は、厚さの薄い基材を採用し、且つその上に電場，電流や他の電磁気効果の誘導の影響を受ければその安定状態を変更する光電気材料（Ｏｐｔｏ−Ｅｌｅｃｔｒｏｎｉｃｓ  Ｍａｔｅｒｉａｌ）が設けられる。これらの光電気材料のレイアウトを適切に計画し、且つその安定状態の駆動配置の変更を推進することで、薄型表示ユニット３への電源が遮断された後も表示内容は消えることなく保たれ、表示情報の効果を達成する。
【００１２】
本考案の第１の実施の形態の断面図である図２を参照するが、その中でも薄型表示ユニット３が少なくとも一つの双安定の薄型表示ユニットで、そして薄型表示ユニット３の体積寸法がより小さい以外に、さらに薄型表示ユニットを有する不揮発性メモリ格納装置１２３の使用状態も随時に表示でき、応用システムに接続する必要がなく、まだ内蔵電源を具備する必要もない。
【００１３】
例えば図２の断面図の通りで、薄型表示ユニット３は、封止ユニット４に嵌合され、そして封止ユニット４が薄型表示ユニットを有する不揮発性メモリ格納装置１２３の周囲に設置され、且つ薄型表示ユニット３に対応する箇所には、表示ウインドー４１が設けられる。さらに封止ユニット４も透明な材質を採用することにより、薄型表示ユニット３が不揮発性メモリ格納媒体１１の状態情報を表示するように供することが出来るが、その中でも、薄型表示ユニット３に第１のインターフェース３１が設けられ、そして第１のインターフェース３１は少なくとも一つの金属材料の導電端子である。一方では、不揮発性メモリ格納ユニット１は、少なくとも一つの不揮発性メモリ格納媒体１１，コントローラ１３，システム・インターフェース１５と第２のインターフェース１７を含むが、その中でも、第２のインターフェース１７は少なくとも一つの金属材料の導電端子で、且つ第１のインターフェース３１の金属材料の導電端子を合わせて設置される。さらに第１のインターフェース３１と第２のインターフェース１７との間には、一つの導電材料２が設置され、そして前記導電材料２が一つの異方性導電ゴムである。異方性導電ゴムの特性が封止ユニット４の封止の圧着に対応することにより、第１のインターフェース３１と第２のインターフェース１７が異方性導電ゴムを押し付けることにより、第１のインターフェース３１と第２のインターフェース１７との間における垂直方向の電導通性を形成し、薄型表示ユニット３と不揮発性メモリ格納ユニット１との間における電気的な接続を達成する。このコントローラ１３が不揮発性メモリ格納媒体１１の状態情報を薄型表示ユニット３に伝送して表示する。言い換えれば、コントローラ１３が第２のインターフェース１７を介して第１のインターフェース３１に接続することにより、薄型表示ユニット３の呈する状態情報を制御するが、さらにコントローラ１３がシステム・インターフェース１５を経由して外部応用システムに接続し、デジタル情報の格納およびトランスファーの機能を提供する。
【００１４】
（第２の実施の形態）
次に本考案の第２の実施の形態の分解図である図３を参照するが、例えば図３の分解図に示すように、前記の薄型表示ユニット３を、導電材料２を介して不揮発性メモリ格納ユニット１に嵌合するが、その導電材料２は一つの異方性導電ゴムである。その後に封止の圧着により、第１のインターフェース３１を第２のインターフェース１７に電気的に接続し、薄型表示ユニット３を不揮発性メモリ格納ユニット１に電気的に接続し、さらに封止ユニット４（図示せず）で封止して組成する。
【００１５】
しかしながら、前記の第１及び第２の実施の形態に述べた封止ユニット４は、一つの上蓋を一つの下蓋に結合し、或いは多数の部材を組み合わせ、封止して形成できるが、さらに単一のキャビネットのみにより各ユニットを組み立てた後に封止材料にて膠着することにより形成でき、また一体成形の方式にて各ユニットを直接に組み合わせた後に金型内で成形過程により封止材料から組成される。
【００１６】
上記を総合し、本考案に基づいて各種の不揮発性メモリ格納装置は、例えばＣＦ（Ｃｏｍｐａｃｔ  Ｆｌａｓｈ：コンパクトフラッシュ（登録商標））メモリ・カード、ＭＭＣ（Ｍｕｌｔｉ−Ｍｅｄｉａ−Ｃａｒｄ：マルチメディア）メモリ・カード、ＳＤ（Ｓｅｃｕｒｅ  Ｄｉｇｉｔａｌ：セキュア・デジタル）メモリ・カード及びＭＳ（Ｍｅｍｏｒｙ  Ｓｔｉｃｋ：メモリ・スティック（登録商標））メモリ・カード等のこのような体積寸法の小さいメモリ格納装置に応用できる。例えば図４の本考案がＳＤメモリ・カードに応用される表示図に示すように、ＳＤメモリ・カード６の薄型表示ユニット３の上にメモリ状態の情報を表示でき、体積寸法の厳しい制限を受けることにより表示ユニットを設置できない技術問題を克服する。さらに従来の表示ユニットを設置するＵＳＢインターフェースのサムドライブ（Ｔｈｕｍｂ−Ｄｒｉｖｅ）の体積も縮小できる。
【００１７】
しかしながら、以上の叙述は、ただ本考案のより好ましい具体的な実施の形態の詳細な説明と図面のみであるが、本考案の特徴がこれらに限定されず、本考案を限定するように用いられるものではない。本考案の全ての範囲が登録請求の範囲に準拠すべきで、本考案の登録請求の範囲に合致する精神及びその類似する変形例の全てを、何れも本考案の範疇中に含むべきで、本考案の領域内で当該技術をよく分かる当業者が簡単に想到できる改良または変形は、何れも以下の本考案の登録請求の範囲に含まれる。
【図面の簡単な説明】
【００１８】
【図１】本考案の構造ブロック模式図である。
【図２】本考案の第１の実施の形態の断面図である。
【図３】本考案の第２の実施の形態の分解図である。
【図４】本考案をＳＤメモリ・カードに使用したときの図である。
【符号の説明】
【００１９】
１  不揮発性メモリ格納ユニット
２  導電材料
３  薄型表示ユニット
４  封止ユニット
６  ＳＤメモリ・カード
１１  不揮発性メモリ格納媒体
１３  コントローラ
１５  システム・インターフェース
１７  第２のインターフェース
３１  第１のインターフェース
４１  表示ウインドー
１２３  薄型表示ユニットを有する不揮発性メモリ格納装置
【図１】
0003128220.tif 000003
【図２】
0003128220.tif 000004
【図３】
0003128220.tif 000005
【図４】
0003128220.tif 000006